(57)【要約】      （修正有）【課題】結束用部品などの別部品を使用することのないケーブル位置規制構造を提供する。【解決手段】電子部品を実装した主基板から延出する特定のケーブルの位置を規制するためのケーブル位置規制構造において、主基板６０とは別の複数のサブ基板を主基板６０に対して接続するための複数の基板間接続ケーブルと、各基板間接続ケーブルに対応して主基板６０上に所定の間隔を空けて配設された複数のコネクタ６７ａ、６７ｂと、主基板６０に対し略垂直かつ各コネクタの並びと略平行な状態で各コネクタの近傍に取り付けられたときに、各基板間接続ケーブルの各一端と各コネクタとを中継する一枚状の中継基板６５とを備え、特定のケーブル６９ａをコネクタ間の隙間であって且つ当該隙間の位置に対応する中継基板６５の縁と主基板６０とによって挟まれる空間に通すことにより、当該特定のケーブルの位置を規制する。【選択図】図４
2009049180.tif 000002
【特許請求の範囲】
【請求項１】
電子部品を実装した主基板から延出する特定のケーブルの位置を規制するためのケーブル位置規制構造において、
上記主基板とは別の複数のサブ基板を主基板に対して接続するための複数の基板間接続ケーブルと、
上記各基板間接続ケーブルに対応して主基板上に所定の間隔を空けて配設された複数のコネクタと、
上記主基板に対し略垂直かつ各コネクタの並びと略平行な状態で各コネクタの近傍に取り付けられたときに、各基板間接続ケーブルの各一端と各コネクタとを中継する一枚状の中継基板とを備え、
上記特定のケーブルをコネクタ間の隙間であって且つ当該隙間の位置に対応する中継基板の縁と主基板とによって挟まれる空間に通すことにより、当該特定のケーブルの位置を規制することを特徴とするケーブル位置規制構造。
【請求項２】
上記特定のケーブルは主基板上において、上記各コネクタの位置よりも内側の位置から延出することを特徴とする請求項１に記載のケーブル位置規制構造。
【請求項３】
上記隙間の位置に対応する中継基板の縁には、上記特定のケーブルが通過可能な大きさの切欠を形成したことを特徴とする請求項１または請求項２のいずれかに記載のケーブル位置規制構造。
【請求項４】
上記特定のケーブルは、主基板から所定のスピーカに対して音声信号を送信するためのケーブルであることを特徴とする請求項１〜請求項３のいずれかに記載のケーブル位置規制構造。
【請求項５】
所定のバックライトに交流電圧を供給するインバータ回路と、放送信号を受信するためのチューナ回路と、放送信号に含まれた音声信号を増幅して出力する音声信号処理回路と、各回路に対し電源を供給する電源回路とを少なくとも実装した主基板から延出する特定のケーブルの位置を規制する構造、を有する液晶テレビジョンにおいて、
上記液晶テレビジョンの外部に向かって発光する発光素子を実装した第１サブ基板と、
上記液晶テレビジョンの外部からの操作を受付けるための操作部を実装した第２サブ基板と、
上記第１サブ基板から延出する第１フラットケーブルと、
上記第２サブ基板から延出する第２フラットケーブルと、
上記第１フラットケーブルに対応して主基板上に設けられたコネクタであって電源回路の１次側の領域よりも外側の位置に配設された主基板側第１コネクタと、
上記第２フラットケーブルに対応して主基板上に設けられたコネクタであって上記１次側の領域よりも外側の位置において、主基板側第１コネクタと所定の間隔を空けて配設された主基板側第２コネクタと、
上記第１フラットケーブルの一端と接続する中継側第１コネクタおよび第２フラットケーブルの一端と接続する中継側第２コネクタを備え、中継側第１コネクタを主基板側第１コネクタに接続するとともに中継側第２コネクタを主基板側第２コネクタに接続したときに、主基板側第１コネクタおよび主基板側第２コネクタの並びと略平行な状態で主基板に対し略垂直に起立する一枚状の中継基板と、
上記主基板上において主基板側第１コネクタおよび主基板側第２コネクタの位置よりも内側の位置から延出する、上記音声信号処理回路が出力する音声信号をスピーカに対して送信するための上記特定のケーブルとを備え、
上記中継基板は、主基板側第１コネクタと主基板側第２コネクタとの隙間の位置に対応する縁に上記特定のケーブルが通過可能な大きさの切欠を有し、
上記特定のケーブルを上記隙間であって且つ中継基板の切欠と主基板とによって挟まれる空間に通すことにより、当該特定のケーブルの位置を規制することを特徴とする液晶テレビジョン。
【発明の詳細な説明】
【技術分野】
【０００１】
本発明は、基板から延出するケーブルの位置を規制するためのケーブル位置規制構造および当該構造を採用する電子機器に関する。
【背景技術】
【０００２】
テレビジョンなどの電子機器内部に搭載される基板においては、他の基板や基板外の他の部品との接続のために、種々のケーブル類が延出している。これら延出する各ケーブルが通る経路は、基板上に密集して実装されている電子部品との接触回避や、電子機器内のスペースの制約や、安全性の確保など、各種制限の基で決定される。そして、かかる制限に従った経路にケーブルを確実に留まらせるために、所定の結束用部材を用いてケーブルの複数の途中箇所を基板や他の部品に対して固定していた。
【０００３】
回路基板に半田付けされるダイオード、ヒューズ抵抗、セメント抵抗、電解コンデンサ等の固定用電子部品の端子の間に、フラットケーブルやリード線を通すことにより、固定用電子部品と回路基板との隙間にフラットケーブルやリード線を挿通してフラットケーブルやリード線の浮き上がりを防止する構成が知られている（特許文献１参照。）。
【０００４】
また、機器のシャーシ上において対向的に立設された２本の取付部材の各対向面に形成されたガイド溝にプリント基板を挿入する際、プリント基板からのリード線を、ガイド溝に挿入されるべきプリント基板の側縁部に形成されている切欠に嵌合させた状態で挿入する、プリント基板の取付構造が知られている（特許文献２参照。）。
【０００５】
また、ＡＶ基板とケーブルを介して接続した中継基板のコネクタを、電源基板のコネクタに嵌合させることにより、中継基板をコネクタを介して電源基板に起立させた基板接続装置が知られている（特許文献３参照。）。
【特許文献１】特開２００５‐２４３８１７号公報
【特許文献２】実開昭５９‐１３２６８３号公報
【特許文献３】実用新案登録第３１１５１１８号公報
【発明の開示】
【発明が解決しようとする課題】
【０００６】
従来においては、上記制限に従った経路にケーブルを確実に留まらせるために、多くの結束用部材を必要としていたが、結束用部材を多数使用することは電子機器の製造にかかるコストの上昇を招いていた。
また上記文献１においては、半田付け前に回路基板上に置いたダイオード等の固定用電子部品の端子間にケーブル類を通した状態を保持しつつ当該端子を回路基板に半田付けするか、或いは、端子が回路基板に半田付けされ固定された状態の固定用電子部品の下端と回路基板との間の狭い隙間にケーブル類を通す必要があるため、ケーブル類固定のための作業性が非常に悪かった。さらに、固定用電子部品および当該固定用電子部品が半田付けされるダミーパターンは、ケーブル類を固定するためだけに設けられているため、コスト面で非常に無駄が多く、かつ、一般的に多くの電子部品やパターンが密集する基板の設計を困難なものにしてしまう。
【０００７】
また上記文献２においては、リード線を線処理するために、取付部材というプリント基板やプリント基板上に実装される電子部品とは異なる部材が別途必須であった。
また上記文献３は、基板から延出するケーブル類についてその途中箇所を固定することによりにケーブル類の位置を規制しようとするものではない。
【０００８】
本発明は上記課題にかんがみてなされたもので、製品の設計上要求されるケーブル類の位置規制を従来よりも容易な処理かつ少ない部品数にて行うことにより、製品製造にかかるコストの削減と品質の保持とを両立することの可能な、ケーブル位置規制構造および当該構造を採用した液晶テレビジョンを提供することを目的とする。
【課題を解決するための手段】
【０００９】
上記目的を達成するため、本発明のケーブル位置規制構造では、電子部品を実装した主基板から延出する特定のケーブルの位置を規制する。具体的には、主基板とは別の複数のサブ基板を主基板に対して接続するための複数の基板間接続ケーブルと、各基板間接続ケーブルに対応して主基板上に所定の間隔を空けて配設された複数のコネクタと、主基板に対し略垂直かつ各コネクタの並びと略平行な状態で各コネクタの近傍に取り付けられたときに、各基板間接続ケーブルの各一端と各コネクタとを中継する一枚状の中継基板とを備える。そして、上記特定のケーブルを、コネクタ間の隙間であって且つ当該隙間の位置に対応する中継基板の縁と主基板とによって挟まれる空間に通す。その結果、上記特定のケーブルの位置を規制する。
【００１０】
すなわち本発明では、複数のサブ基板からそれぞれ伸びる各基板間接続ケーブルと、各基板間接続ケーブルに対応する主基板側の各コネクタとの接続を、一枚状の中継基板を用いて行うようにし、この中継基板を各コネクタ近傍に取り付けたときにコネクタ同士と中継基板の縁とに囲まれて生じる空間に上記特定のケーブルを通す構成とした。そのため、基板上の構成として本来必要な部品のみを用いて上記特定のケーブルの位置や延出方向を確実に規制することができる。また、上記特定のケーブルの途中箇所を各コネクタと中継基板の縁とによって規制するため、当該規制位置において従来使用していた別部品としての結束用部材を使用する必要が無くなる。
【００１１】
主基板上には、例えば電源回路など様々な電子部品が実装され、このような電子部品とケーブル類との接触を避ける必要性がある。そこで、本発明の他の構成例として、上記特定のケーブルは、主基板上において、上記各コネクタの位置よりも内側の位置から延出するものとしてもよい。かかる特定のケーブルを上記各コネクタと中継基板とによる位置規制の対象とすれば、特定のケーブルはその延出位置から主基板の外側に向かって引き廻されるようになる。そのため、主基板に実装される各電子部品と特定のケーブルとが接触することを容易に回避することができる。
【００１２】
本発明の他の構成例として、上記コネクタ間の隙間の位置に対応する中継基板の縁には、上記特定のケーブルが通過可能な大きさの切欠を形成するとしてもよい。当該切欠を設けることにより、上記特定のケーブルの、中継基板の縁と主基板とで挟まれた空間を通過する箇所が、中継基板の縁によって押圧されることがなくなる。そのため、特定のケーブルに不要な応力を与えることなくその位置を規制することができる。なお上記特定のケーブルとしては、例えば、主基板から所定のスピーカに対して音声信号を送信するためのケーブルが想定される。
【００１３】
これまではケーブル位置規制構造という視点で本発明にかかる技術的思想を説明したが、当該構造を採用したテレビジョンなどの電子機器も一つの発明として把握することができる。そこで、上述したケーブル位置規制構造の全ての特徴を含みさらに具体的な発明として、所定のバックライトに交流電圧を供給するインバータ回路と、放送信号を受信するためのチューナ回路と、放送信号に含まれた音声信号を増幅して出力する音声信号処理回路と、各回路に対し電源を供給する電源回路とを少なくとも実装した主基板から延出する特定のケーブルの位置を規制する構造、を有する液晶テレビジョンにおいて、
上記液晶テレビジョンの外部に向かって発光する発光素子を実装した第１サブ基板と、上記液晶テレビジョンの外部からの操作を受付けるための操作部を実装した第２サブ基板と、上記第１サブ基板から延出する第１フラットケーブルと、上記第２サブ基板から延出する第２フラットケーブルと、上記第１フラットケーブルに対応して主基板上に設けられたコネクタであって電源回路の１次側の領域よりも外側の位置に配設された主基板側第１コネクタと、上記第２フラットケーブルに対応して主基板上に設けられたコネクタであって上記１次側の領域よりも外側の位置において、主基板側第１コネクタと所定の間隔を空けて配設された主基板側第２コネクタと、上記第１フラットケーブルの一端と接続する中継側第１コネクタおよび第２フラットケーブルの一端と接続する中継側第２コネクタを備え、中継側第１コネクタを主基板側第１コネクタに接続するとともに中継側第２コネクタを主基板側第２コネクタに接続したときに、主基板側第１コネクタおよび主基板側第２コネクタの並びと略平行な状態で主基板に対し略垂直に起立する一枚状の中継基板と、上記主基板上において主基板側第１コネクタおよび主基板側第２コネクタの位置よりも内側の位置から延出する、上記音声信号処理回路が出力する音声信号をスピーカに対して送信するための上記特定のケーブルとを備え、上記中継基板は、主基板側第１コネクタと主基板側第２コネクタとの隙間の位置に対応する縁に上記特定のケーブルが通過可能な大きさの切欠を有し、上記特定のケーブルを上記隙間であって且つ中継基板の切欠と主基板とによって挟まれる空間に通すことにより、当該特定のケーブルの位置を規制する構成を把握することができる。
【００１４】
このような、より具体的な構成においても、上述したケーブル位置規制構造と同様の作用および効果を発揮する。
【発明を実施するための最良の形態】
【００１５】
以下では、本発明の一実施形態を図面を参照しながら説明する。
図１は、本実施形態にかかるテレビジョン（以下、ＴＶと略す。）１０を正面から簡略的に例示している。ＴＶ１０はいわゆる薄型ＴＶであり、その内部においてケーブル位置規制構造を採用する。ＴＶ１０は、筺体としてのフロントキャビネット２０を備える。フロントキャビネット２０の前面２１の略中央には、開口２２が形成されている。開口２２からは表示画面としての液晶パネル３１が露出している。従って、ＴＶ１０は液晶テレビジョンであると言える。
【００１６】
開口２２の周囲、つまり前面２１の所定位置には、ＴＶ１０の主電源のオン・オフ状態をその発光状態によって外部に知らせるため等の発光素子（ＬＥＤ）４０が備えられている。前面２１の下方範囲の左右位置には、複数の小穴からなる左右のスピーカ窓２３ａ，２３ｂが形成されている。左スピーカ窓２３ａの内側には左スピーカが、右スピーカ窓２３ｂの内側には右スピーカがそれぞれ配設される。本実施形態における左右上下はＴＶ１０の前面２１に正対したときの左右上下を言うものとする。
【００１７】
図２は、ＴＶ１０の内部構成を分解した状態で簡略的に例示している。同図では後方斜視図によりＴＶ１０の内部を示している。
フロントキャビネット２０は、前面２１の上下左右の各縁から側面２４を後方に延出させている。フロントキャビネット２０内には液晶モジュール３０が配設される。液晶モジュール３０は概略、液晶パネル３１と、液晶パネル３１の背面側のバックライトモジュール３２とからなる。バックライトモジュール３２は、内部に所定本数のバックライト（蛍光管）３２ａを備えており、外部から交流電圧の供給を受けることによりバックライト３２ａを発光させる。バックライトモジュール３２は、バックライト３２ａ以外にも反射板などの部材を適宜備える。
【００１８】
液晶モジュール３０の背面側には各基板が配設される。同図では、アナログ主基板６０と、デジタル主基板７０とを示している。ＴＶ１０内部には、アナログ主基板６０やデジタル主基板７０以外にも種々の基板や左右のスピーカ等が収容されるが、同図では省略している。各基板の構成については後述する。
フロントキャビネット２０の背後には、ＴＶ１０の内部構成を背後から覆うようにして図示しないリアキャビネットが取り付けられる。つまりＴＶ１０の筺体は、フロントキャビネット２０とリアキャビネットによって構成される。
【００１９】
図３は、ＴＶ１０内部に収容される各基板の位置関係等を、ＴＶ１０の後側から例示している。同図では、２点鎖線でフロントキャビネット２０の範囲を例示している。
ＴＶ１０は、アナログ主基板６０やデジタル主基板７０の他、第１サブ基板８０、第２サブ基板９０、中継基板６５といった各種基板を備える。アナログ主基板６０は、特許請求の範囲に記載した主基板の一例に該当する。
アナログ主基板６０上においては、右上寄りの領域にインバータ回路６１が形成され、右下寄りの領域に電源回路６２が形成され、中央部から左側にかけての領域にはチューナ回路６３や、音声信号処理回路６６が形成され、チューナ回路６３の略下方の領域には入出力端子回路６４が形成される。
【００２０】
電源回路６２は、外部から供給を受けた交流電圧を直流電圧に変換して他の各回路に供給する回路であり、変圧器６２ｃなどを備える。電源回路６２に対応する基板上の領域は、変圧器６２ｃの１次側の回路に該当する領域６２ａと２次側の回路に該当する領域６２ｂとに分けられている。
インバータ回路６１は、電源回路６２から供給された直流を交流化しつつレベルを制御して上記バックライトモジュール３２のバックライト３２ａに供給する回路である。
チューナ回路６３は、チューナ６３ａを含み、アンテナ（不図示）を介して放送信号を受信するとともに受信した放送信号から中間周波信号を抽出して出力する回路である。
【００２１】
アナログ主基板６０は、その左上部分が略矩形に切欠かれた形状をしている。そして、当該切欠かれた範囲に略収まるように、デジタル主基板７０が配設されている。アナログ主基板６０とデジタル主基板７０は、所定のインターフェース７２によって通信可能に接続されている。デジタル主基板７０は、デジタル信号処理の主体となる１チップＩＣ７１を実装している。デジタル主基板７０は、ＩＣ７１の機能によって上記中間周波信号からの映像信号・音声信号の復調処理や、映像信号に対する画像処理、スケーリング処理などを行う。デジタル主基板７０が出力する映像信号は図示しないタイミングコントローラを経由して液晶パネル３１に出力される。
【００２２】
音声信号処理回路６６は、デジタル主基板７０から出力された音声信号を入力し、当該音声信号に所定の増幅処理などを施した上で、左右のスピーカに出力する。
本実施形態では、アナログ主基板６０上における左下側の所定位置に、コネクタ６８が実装されており、コネクタ６８からケーブル（リード線）６８ａが延出している。ケーブル６８ａは左スピーカ１００ａに接続するものであり、ケーブル６８ａを介して左スピーカ１００ａに音声信号が出力される。また、アナログ主基板６０上における右下側の所定位置には、コネクタ６９が実装されており、コネクタ６９からケーブル（リード線）６９ａが延出している。ケーブル６９ａは右スピーカ１００ｂに接続するものであり、ケーブル６９ａを介して右スピーカ１００ｂに音声信号が出力される。
【００２３】
むろん、音声信号処理回路６６と各コネクタ６８，６９はそれぞれ、基板中の図示しないパターンによって電気的に接続されている。ケーブル６９ａは、特許請求の範囲に記載した特定のケーブルの一例に該当する。
入出力端子回路６４は、図示しない複数の信号入力出力用のジャックを備え、ジャックを介して外部装置（例えば、ＤＶＤレコーダ）とＴＶ１０との信号の入出力を実現する。
【００２４】
第１サブ基板８０は、本実施形態ではアナログ主基板６０よりも下方において、その面をアナログ主基板６０の面と略平行な状態にして配設される。第１サブ基板８０は、フロントキャビネット２０の前面２１側を向く面に上述の発光素子４０（図３では不図示）を実装する。第１サブ基板８０からはフラットケーブル８１（第１フラットケーブル）が延出している。第１サブ基板８０は、フラットケーブル８１によってアナログ主基板６０に接続することにより、主基板６０，７０側から発光素子４０の発光を制御する信号の供給を受ける。
【００２５】
第２サブ基板９０は、本実施形態ではアナログ主基板６０よりも右側において、アナログ主基板６０に対して略垂直な状態で配設される。第２サブ基板９０は外側を向く面に、ＴＶ１０外部から所定の操作を受付けるための各操作部（スイッチ）５０を実装している。例えば、ＴＶ１０のチェンネル切替や、音量調整や、主電源のオン・オフなどの操作を受付けるための各操作部５０を実装する。各操作部５０は、フロントキャビネット２０の側面よりも外側に一部露出している。第２サブ基板９０からはフラットケーブル９１（第２フラットケーブル）が延出している。第２サブ基板９０は、フラットケーブル９１によってアナログ主基板６０に接続することにより、操作部５０の操作に対応した信号を主基板６０，７０側に送信する。フラットケーブル８１，９１は、特許請求の範囲に記載した基板間接続ケーブルの一例に該当する。
なお図３では、基板上の回路構成等を極めて簡易に示しているが、実際に各基板には、所定のレイアウトによって描かれ複数のパターンやランドが存在し、ＩＣや、ダイオード、抵抗、コンデンサ等の各種電子部品が実装されていることは言うまでも無い。
【００２６】
フラットケーブル８１の第１サブ基板８０に接続していない側の一端および、フラットケーブル９１の第２サブ基板９０に接続していない側の一端は、共通の中継基板６５に対し接続している。中継基板６５は、フラットケーブル８１のアナログ主基板６０に対する接続およびフラットケーブル９１のアナログ主基板６０に対する接続をそれぞれ中継する基板である。言い換えると本実施形態では、従来個別に存在していた、複数のサブ基板をそれぞれアナログ主基板に対して接続するための各中継基板を、一枚状にまとめている。本実施形態の中継基板６５は、アナログ主基板６０上において電源回路６２が形成されている領域よりも左右方向において外側（左右方向において基板の中心から遠い側）の位置に、アナログ主基板６０に対して略垂直な状態で取り付けられる。具体的には、中継基板６５は少なくとも電源回路６２の上記領域６２ａよりも左右方向において外側の位置に取り付けられる。
【００２７】
図４，５は、アナログ主基板６０上で中継基板６５が取り付けられる位置周辺を拡大して斜視図により例示している。図４は、中継基板６５をアナログ主基板６０に取り付ける前の状態を、図５は、中継基板６５をアナログ主基板６０に取り付けた後の状態をそれぞれ例示している。
アナログ主基板６０には、フラットケーブル８１に対応して設けられたコネクタ６７ａと、フラットケーブル９１に対応して設けられたコネクタ６７ｂとが実装されている。コネクタ６７ａおよびコネクタ６７ｂは、電源回路６２の領域６２ａよりも左右方向において外側の位置に、上下方向に並び、かつ互いの間に所定の間隔（隙間Ｄ）を空けて配設されている。コネクタ６７ａ，６７ｂは、特許請求の範囲に記載したコネクタの一例に該当する。また、コネクタ６７ａは主基板側第１コネクタに該当し、コネクタ６７ｂは主基板側第２コネクタに該当する。
【００２８】
また本実施形態では、コネクタ６７ａ，６７ｂの位置よりも左右方向において内側（左右方向において基板の中心に近い側）の位置に上記コネクタ６９が実装されている。つまり、右スピーカ１００ｂとアナログ主基板６０とを接続するためのケーブル６９ａは、コネクタ６７ａ，６７ｂの位置よりも左右方向において内側の位置から延出している。
【００２９】
一方、中継基板６５は、その基板上のコネクタ６５ａ１を介してフラットケーブル８１と接続し、基板上のコネクタ６５ｂ１を介してフラットケーブル９１と接続している。さらに中継基板６５には、コネクタ６５ａ１と基板中のパターン（不図示）を介して電気的に接続するコネクタ６５ａ２、コネクタ６５ｂ１と基板中のパターン（不図示）を介して電気的に接続するコネクタ６５ｂ２がそれぞれ実装されている。コネクタ６５ａ２は、アナログ主基板６０の上記コネクタ６７ａと接続するための端子であり、コネクタ６５ｂ２は、アナログ主基板６０の上記コネクタ６７ｂと接続するための端子である。この意味でコネクタ６５ａ２は、特許請求の範囲に記載した中継側第１コネクタに該当し、コネクタ６５ｂ２は、特許請求の範囲に記載した中継側第２コネクタに該当する。
【００３０】
コネクタ６５ａ２，６５ｂ２は、互いの間に上記隙間Ｄと同等の間隔を設けた状態で中継基板６５に実装されている。コネクタ６５ａ２，６５ｂ２はそれぞれ複数本のピン６５ａ２１，６５ｂ２１を備えている。ピン６５ａ２１，６５ｂ２１がコネクタ６７ａ，６７ｂ側のソケット（不図示）と接触することにより、コネクタ６５ａ２がコネクタ６７ａに、コネクタ６５ｂ２がコネクタ６７ｂに夫々電気的に接続し、その結果、フラットケーブル８１がコネクタ６７ａに、フラットケーブル９１がコネクタ６７ｂに夫々電気的に接続する。
【００３１】
本実施形態のケーブル位置規制構造では、図４に示すように、コネクタ６７ａ，６７ｂの隙間Ｄにコネクタ６９から延出するケーブル６９ａを通過させた上で、図５に示すように、コネクタ６５ａ２をコネクタ６７ａに、コネクタ６５ｂ２をコネクタ６７ｂにそれぞれ嵌合させることにより、中継基板６５をアナログ主基板６０に対して取り付ける。中継基板６５は、コネクタ６５ａ２，６５ｂ２をコネクタ６７ａ，６７ｂに嵌合させたときに、コネクタ６７ａ，６７ｂの並びと略平行な状態で、アナログ主基板６０に対し略垂直に起立する。従ってケーブル６９ａは、隙間Ｄ内であって、かつ中継基板６５のアナログ主基板６０に対向する縁６５ｃとアナログ主基板６０とによって挟まれる空間を通過することになる。
【００３２】
中継基板６５をアナログ主基板６０に取り付けたときに隙間Ｄの位置に対応する中継基板６５の縁６５ｃの一部位置に、図４，５に示すように、ケーブル６９ａが通過可能な大きさの切欠６５ｃ１を形成してもよい。そして、切欠６５ｃ１内をケーブル６９ａが通過する状態で、中継基板６５をアナログ主基板６０に取り付ける。かかる構成とすれば、中継基板６５の縁６５ｃをアナログ主基板６０に当接させても中継基板６５がケーブル６９ａを不要に押圧することなく、コネクタ６７ａ，６７ｂの間であって、中継基板６５の縁６５ｃと、アナログ主基板６０とによって挟まれた空間（以下適宜、ケーブル位置規制用空間と呼ぶ。）にケーブル６９ａを挿通させることができる。なお、上記切欠６５ｃ１を形成しない場合には、中継基板６５をアナログ主基板６０に取り付けたときに縁６５ｃとアナログ主基板６０の面との間にケーブル６９ａの太さに相当する隙間が確保されるようにすれば好適である。
【００３３】
本実施形態ではこのような構成を採用することで、以下の効果を発揮する。
ＴＶ１０においては、製品の品質および安全性を確保するため、ケーブル類等の所定の部品が上記領域６２ａからある規格上の距離（例えば、４mm）以上、離れていることが要求される。従来においては、かかる規格上の要請を満たすために、コネクタ６９から延出するケーブル６９ａの複数の途中箇所を、各サブ基板とアナログ主基板とを接続するフラットケーブル等の他の部材に対して樹脂製の結束用バンド（結束用部材の一種）で縛り付けることにより、ケーブル６９ａ全体の位置を規制し、ケーブル６９ａが上記領域６２ａに接近しないようにしていた。
【００３４】
一方、本実施形態では、複数のサブ基板から延出する複数のフラットケーブル８１，９１とアナログ主基板６０とを夫々中継するための基板を一枚状にした。そして、各フラットケーブル８１，９１に対応するアナログ主基板６０側のコネクタ６７ａ，６７ｂと中継基板６５という、ＴＶ１０の内部構成として本来必要な部品のみを用いて、ケーブル６９ａの延出方向・位置を規制するとした。つまり、アナログ主基板６０の設計上、コネクタ６７ａ，６７ｂよりも左右方向において内側の位置から延出するケーブル６９ａを、上記ケーブル位置規制用空間に挿通させることで、強制的にコネクタ６７ａ，６７ｂよりも左右方向において外側に仕向ける。
【００３５】
その結果、従来使用していた上記結束用バンドの数を大きく減少させつつ、ケーブル６９ａを、コネクタ６７ａ，６７ｂよりも左右方向において内側に存在する回路、特に電源回路６２の１次側の領域６２ａから確実に隔離させることが可能となった。具体的には、ケーブル６９ａを上記領域６２ａから確実に隔離するために必要な結束用バンドは、フラットケーブル８１，９１とケーブル６９ａとを一まとめに結束しつつ、アナログ主基板６０の右下角に形成された貫通孔６０ａに通されることによりフラットケーブル８１，９１とケーブル６９ａとを上記右下角付近にまとめて固定するための結束用バンド１１０（図３参照）のみとなる。
【００３６】
このように本実施形態によれば、結束用部材の数を減らすことでＴＶ１０の製造に要するコストを低減しながら、製品に要求される品質および安全性を担保することができる。
また、中継基板６５はアナログ主基板６０に対し、コネクタ６５ａ２，６５ｂ２とコネクタ６７ａ，６７ｂとの着脱によって、容易に取り付け、取り外しができる。そのため、ケーブル６９ａを中継基板６５によって押さえ込む作業は非常に容易であり、また、必要に応じてかかる作業をやり直す場合でも、容易にやり直しを行うことができる。
なお上述したケーブル位置規制構造の適用対象は、上記ＴＶ１０に限られるものではなく、基板上からケーブル類を延出させる構成を備えるさまざまな電子機器において適用可能である。
【図面の簡単な説明】
【００３７】
【図１】本実施形態にかかるＴＶの一例を示した正面図。
【図２】ＴＶの内部構成の一例を示した後方斜視図。
【図３】各基板の位置関係などの一例をＴＶの背面側から示した図。
【図４】中継基板をアナログ主基板に取り付ける前の状態の一例を示した斜視図。
【図５】中継基板をアナログ主基板に取り付けた後の状態の一例を示した斜視図。
【符号の説明】
【００３８】
１０…ＴＶ
２０…フロントキャビネット
３０…液晶モジュール
３１…液晶パネル
３２…バックライトモジュール
３２ａ…バックライト
４０…発光素子
５０…操作部
６０…アナログ主基板
６１…インバータ回路
６２…電源回路
６２ａ，６２ｂ…領域
６３…チューナ回路
６５…中継基板
６５ａ１，６５ａ２，６５ｂ１，６５ｂ２，６７ａ，６７ｂ，６８，６９…コネクタ
６５ｃ…縁
６５ｃ１…切欠
６６…音声信号処理回路
６８ａ，６９ａ…ケーブル
７０…デジタル主基板
８０…第１サブ基板
８１，９１…フラットケーブル
９０…第２サブ基板
１００ａ…左スピーカ
１００ｂ…右スピーカ
【図１】
2009049180.tif 000003
【図２】
2009049180.tif 000004
【図３】
2009049180.tif 000005
【図４】
2009049180.tif 000006
【図５】
2009049180.tif 000007